(57)【要約】【課題】色むらの発生を抑制することができる発光装置などを提供する。【解決手段】発光装置１は、基板１０と、基板１０上に並んで配置された、第１光色の第１光を発する第１発光部２０、及び、第１光色とは異なる第２光色の第２光を発する第２発光部３０と、第１発光部２０及び第２発光部３０を、基板１０との間に挟むように配置された透光性の光学部材４０とを備え、光学部材４０は、平面視において第１発光部２０及び第２発光部３０の両方に重複し、かつ、第１発光部２０及び第２発光部３０の少なくとも一方の一部と重ならないように設けられた凹部４１を有する。【選択図】図３
2018120961.tif 000002
【特許請求の範囲】
【請求項１】
基板と、
前記基板上に並んで配置された、第１光色の第１光を発する第１発光部、及び、前記第１光色とは異なる第２光色の第２光を発する第２発光部と、
前記第１発光部及び前記第２発光部を、前記基板との間に挟むように配置された透光性の光学部材とを備え、
前記光学部材は、平面視において前記第１発光部及び前記第２発光部の両方に重複し、かつ、前記第１発光部及び前記第２発光部の少なくとも一方の一部と重ならないように設けられた凹部又は凸部を有する
発光装置。
【請求項２】
前記発光装置は、前記第１発光部及び前記第２発光部の少なくとも一方を複数備え、
前記第１発光部及び前記第２発光部は、前記基板上に交互に並んで配置され、
前記凹部又は前記凸部は、前記第１発光部及び前記第２発光部の間毎に一対一に対応して複数設けられている
請求項１に記載の発光装置。
【請求項３】
隣り合う前記凹部の開口端部同士、又は、隣り合う前記凸部の周端部同士は、尖状の突起又は溝を形成するように互いに近接して配置されている
請求項２に記載の発光装置。
【請求項４】
前記第１発光部と、前記第２発光部と、前記凹部又は前記凸部とは、互いに略平行な複数の線に沿って配置されている
請求項１〜３のいずれか１項に記載の発光装置。
【請求項５】
前記第１発光部と、前記第２発光部と、前記凹部又は前記凸部とは、所定点を共通の中心とする複数の円環又は複数の多角形環に沿って配置されている
請求項１〜４のいずれか１項に記載の発光装置。
【請求項６】
前記第１発光部は、前記基板に実装された複数の第１発光素子と、前記複数の第１発光素子を覆う第１封止部材とを有し、
前記第２発光部は、前記基板に実装された複数の第２発光素子と、前記複数の第２発光素子を覆う第２封止部材とを有する
請求項１〜５のいずれか１項に記載の発光装置。
【請求項７】
前記凹部は、前記光学部材の前記基板側の面に設けられ、
前記凹部の内面は、前記第１光及び前記第２光が入射する、湾曲した入射面である
請求項１〜６のいずれか１項に記載の発光装置。
【請求項８】
前記凸部は、前記光学部材の、前記基板と反対側の面に設けられ、
前記凸部の外面は、前記光学部材を透過した前記第１光及び前記第２光を出射する、湾曲した出射面である
請求項１〜６のいずれか１項に記載の発光装置。
【請求項９】
さらに、
前記光学部材と、前記第１発光部及び前記第２発光部との間を充填する透光部材とを備える
請求項８に記載の発光装置。
【請求項１０】
前記凹部の開口端部又は前記凸部の周端部は、前記第１発光部及び前記第２発光部の並び方向において、前記第１発光部の光軸を中心とする第１範囲内と、前記第２発光部の光軸を中心とする第２範囲内とに位置している
請求項１〜９のいずれか１項に記載の発光装置。
【請求項１１】
前記凹部の開口端部又は前記凸部の周端部は、前記第１発光部及び前記第２発光部の各々の光軸上に位置している
請求項１０に記載の発光装置。
【請求項１２】
請求項１〜１１のいずれか１項に記載の発光装置と、
前記発光装置に、当該発光装置を点灯させるための電力を供給する点灯装置とを備える
照明装置。
【発明の詳細な説明】
【技術分野】
【０００１】
本発明は、発光装置、及び、当該発光装置を備える照明装置に関する。
【背景技術】
【０００２】
発光ダイオード（ＬＥＤ：Ｌｉｇｈｔ  Ｅｍｉｔｔｉｎｇ  Ｄｉｏｄｅ）などの半導体発光素子は、高効率で省スペースな光源として照明用途又はディスプレイ用途などの各種の発光装置に広く利用されている。
【０００３】
例えば、特許文献１には、回路基板上に同心円状に形成された発光部の上部にレンズを備えるＬＥＤ発光装置が開示されている。特許文献１に記載のＬＥＤ発光装置では、レンズによって、照明のスポット形状を調節している。
【先行技術文献】
【特許文献】
【０００４】
【特許文献１】特開２０１４−８２２３６号公報
【発明の概要】
【発明が解決しようとする課題】
【０００５】
しかしながら、上記従来のＬＥＤ発光装置では、照射面の中央部には、回路基板の中央部に設けられた発光素子からの光が照射され、照射面の周縁部には、回路基板の周縁部に設けられた発光素子からの光が照射される。このため、回路基板に設けられる発光素子の配置に応じて、照射面に色むらが発生する。
【０００６】
そこで、本発明は、色むらの発生を抑制することができる発光装置、及び、当該発光装置を備える照明装置を提供することを目的とする。
【課題を解決するための手段】
【０００７】
上記目的を達成するため、本発明の一態様に係る発光装置は、基板と、前記基板上に並んで配置された、第１光色の第１光を発する第１発光部、及び、前記第１光色とは異なる第２光色の第２光を発する第２発光部と、前記第１発光部及び前記第２発光部を、前記基板との間に挟むように配置された透光性の光学部材とを備え、前記光学部材は、平面視において前記第１発光部及び前記第２発光部の両方に重複し、かつ、前記第１発光部及び前記第２発光部の少なくとも一方の一部と重ならないように設けられた凹部又は凸部を有する。
【０００８】
また、本発明の一態様に係る照明装置は、前記発光装置と、前記発光装置に、当該発光装置を点灯させるための電力を供給する点灯装置とを備える。
【発明の効果】
【０００９】
本発明によれば、色むらの発生を抑制することができる発光装置などを提供することができる。
【図面の簡単な説明】
【００１０】
【図１】実施の形態１に係る発光装置の外観斜視図である。
【図２】実施の形態１に係る発光装置の平面図である。
【図３】図２のＩＩＩ−ＩＩＩ線における実施の形態１に係る発光装置の断面図である。
【図４】実施の形態１に係る発光装置の部分拡大断面図である。
【図５】実施の形態１に係る発光装置の光の経路を模式的に示す断面図である。
【図６】実施の形態２に係る発光装置の断面図である。
【図７】実施の形態２に係る発光装置の光の経路を模式的に示す断面図である。
【図８】実施の形態の変形例に係る発光装置の平面図である。
【図９】実施の形態３に係る照明装置の断面図である。
【図１０】実施の形態３に係る照明装置及びその周辺部材の外観斜視図である。
【発明を実施するための形態】
【００１１】
以下では、本発明の実施の形態に係る発光装置及び照明装置について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。また、以下の実施の形態において、略平行などの「略」を用いた表現を用いている。例えば、略平行は、完全に平行であることを意味するだけでなく、実質的に平行である、すなわち、例えば数％程度の差異を含むことも意味する。他の「略」を用いた表現についても同様である。
【００１３】
また、本明細書及び図面において、ｘ軸、ｙ軸及びｚ軸は、三次元直交座標系の三軸を示している。各実施の形態では、ｚ軸方向を鉛直方向とし、ｚ軸に垂直な方向（ｘｙ平面に平行な方向）を水平方向としている。なお、ｚ軸の正方向を鉛直下方（光出射方向）としている。また、本明細書において、「厚み方向」とは、発光装置の厚み方向を意味し、基板の主面に垂直な方向のことであり、「平面視」とは、基板の主面に対して垂直な方向から見たときのことをいう。
【００１４】
（実施の形態１）
［概要］
まず、本実施の形態に係る発光装置の概要について、図１〜図３を用いて説明する。図１は、本実施の形態に係る発光装置１の外観斜視図である。図２は、本実施の形態に係る発光装置１の平面図である。図３は、図２のＩＩＩ−ＩＩＩ線における本実施の形態に係る発光装置１の断面図である。
【００１５】
なお、図１では、基板１０上の第１発光部２０及び第２発光部３０の配置を分かりやすくするために光学部材４０を基板１０から分離して示している。また、図２では、光学部材４０の全体を示さずに、光学部材４０の凹部４１の開口端部（尖端部）４２の位置を破線で示している。隣り合う２本の破線の間が凹部４１に相当する。また、各図において、基板１０上の配線パターン、及び、ＬＥＤチップの電気的な接続に用いられるボンディングワイヤなどの図示は省略されている。
【００１６】
図１〜図３に示すように、本実施の形態に係る発光装置１は、基板１０と、第１発光部２０と、第２発光部３０と、光学部材４０とを備える。図３に示すように、第１発光部２０は、複数の第１ＬＥＤチップ２１と、第１封止部材２２とを備える。第２発光部３０は、複数の第２ＬＥＤチップ３１と、第２封止部材３２とを備える。発光装置１は、第１発光部２０が発する光（第１光）と第２発光部３０が発する光（第２光）との混合光を外部に出射する。
【００１７】
なお、以下では、第１発光部２０及び第２発光部３０を総称して単に「発光部」と記載する場合がある。同様に、第１ＬＥＤチップ２１及び第２ＬＥＤチップ３１を総称して単に「ＬＥＤチップ」と記載する場合がある。第１封止部材２２及び第２封止部材３２を総称して単に「封止部材」と記載する場合がある。
【００１８】
発光装置１は、基板１０にＬＥＤチップが直接実装された、いわゆるＣＯＢ（Ｃｈｉｐ  Ｏｎ  Ｂｏａｒｄ）構造のＬＥＤモジュールである。基板１０上には、複数のＬＥＤチップからなる発光素子列（発光部）が同心円状に複数設けられている。
【００１９】
本実施の形態では、発光装置１は、第１発光部２０及び第２発光部３０の少なくとも一方を複数備える。具体的には、図１及び図２に示すように、発光装置１は、２つの第１発光部２０及び２つの第２発光部３０を備える。２つの第１発光部２０及び２つの第２発光部３０が、基板１０の中心から周縁に向かって１つずつ交互に並んで配置されている。４列の発光素子列を覆うように、光学部材４０が配置されている。
【００２０】
複数の第１発光部２０、複数の第２発光部３０及び光学部材４０に設けられた複数の凹部４１は、互いに略平行な複数の線（具体的には、円に沿った曲線（円周））に沿って配置されている。本実施の形態では、複数の第１発光部２０、複数の第２発光部３０及び複数の凹部４１は、所定点を共通の中心とする複数の円環に沿って配置されている。つまり、複数の第１発光部２０、複数の第２発光部３０及び複数の凹部４１は、所定点を中心とする同心円状に配置されている。なお、所定点は、例えば、基板１０の中心である。
【００２１】
以下では、発光装置１の各構成部材の詳細について説明する。
【００２２】
［基板］
基板１０は、複数の第１ＬＥＤチップ２１及び複数の第２ＬＥＤチップ３１を実装するための実装基板である。基板１０には、複数の第１ＬＥＤチップ２１及び複数の第２ＬＥＤチップ３１に電力を供給するための金属配線（図示せず）が設けられている。基板１０は、例えば、セラミックからなるセラミック基板である。なお、基板１０は、樹脂を基材とする樹脂基板でもよく、ガラス基板でもよい。あるいは、基板１０は、金属板に絶縁膜が被覆されたメタルベース基板でもよい。
【００２３】
セラミック基板としては、酸化アルミニウム（アルミナ）からなるアルミナ基板又は窒化アルミニウムからなる窒化アルミニウム基板などが用いられる。また、メタルベース基板としては、例えば、表面に絶縁膜が形成された、アルミニウム合金基板、鉄合金基板又は銅合金基板などが用いられる。樹脂基板としては、例えば、ガラス繊維とエポキシ樹脂とからなるガラスエポキシ基板などが用いられる。
【００２４】
基板１０としては、光反射率が高い（例えば、光反射率が９０％以上）白色基板を用いてもよい。白色基板を用いることで、第１ＬＥＤチップ２１及び第２ＬＥＤチップ３１が発する光を基板１０の表面で反射させることができるので、光の取り出し効率を高めることができる。例えば、基板１０としては、アルミナからなる白色のセラミック基板（白色アルミナ基板）を用いることができる。
【００２５】
また、基板１０として、光の透過率が高い透光性基板が用いられてもよい。透光性基板としては、例えば、多結晶のアルミナ若しくは窒化アルミニウムからなる透光性セラミック基板、透明ガラス基板、サファイア基板又は透明樹脂基板などを用いることができる。
【００２６】
本実施の形態では、基板１０の平面視形状は、矩形であるが、円形又は多角形などのその他の形状でもよい。
【００２７】
［発光部］
第１発光部２０及び第２発光部３０は、基板１０上に並んで配置された発光部（発光素子列）である。本実施の形態では、第１発光部２０が発する光（第１光）の光色（第１光色）と、第２発光部３０が発する光（第２光）の光色（第２光色）とは、互いに異なっている。具体的には、第１発光部２０が発する光の色温度は、第２発光部３０が発する光の色温度より低い。第１発光部２０が発する光の色温度は、例えば３０００Ｋ以下であり、一例として２７００Ｋである。第２発光部３０が発する光の色温度は、例えば５０００Ｋ以上であり、一例として６２００Ｋである。つまり、第１発光部２０は、電球色の白色光を発し、第２発光部３０は、昼光色の白色光を発する。
【００２８】
本実施の形態では、第１発光部２０と第２発光部３０とは、独立駆動が可能である。具体的には、第１発光部２０のみ点灯、第２発光部３０のみ点灯、又は、第１発光部２０及び第２発光部３０の両方の点灯及び消灯が可能である。より具体的には、第１発光部２０及び第２発光部３０の各々の発光強度を独立して変更可能、すなわち、調光が可能である。第１発光部２０及び第２発光部３０の各々の調光を行うことで、発光装置１が出射する光の強度を変更することができる。
【００２９】
第１発光部２０が備える複数の第１ＬＥＤチップ２１は、第１発光素子の一例であって、基板１０に直接実装されている。第１ＬＥＤチップ２１は、例えば、ＩｎＧａＮ系の材料によって構成された、中心波長（発光スペクトルのピーク波長）が４３０ｎｍ以上４８０ｎｍ以下の範囲にある窒化ガリウム系の青色ＬＥＤチップである。
【００３０】
第２発光部３０が備える複数の第２ＬＥＤチップ３１は、第２発光素子の一例であって、基板１０に直接実装されている。本実施の形態では、第２ＬＥＤチップ３１は、第１ＬＥＤチップ２１と同じ構成を有する青色ＬＥＤチップである。なお、第２ＬＥＤチップ３１は、第１ＬＥＤチップ２１とは異なるＬＥＤチップでもよく、例えば、発光波長などが異なっていてもよい。
【００３１】
本実施の形態では、複数の第１ＬＥＤチップ２１及び複数の第２ＬＥＤチップ３１はそれぞれ、ｘ軸方向に略平行に一列に並んで配置されている。図１〜図３では図示されていないが、複数の第１ＬＥＤチップ２１は全て、一括して点灯及び消灯が可能なように電気的に接続されている。複数の第２ＬＥＤチップ３１も全て、一括して点灯及び消灯が可能なように電気的に接続されている。
【００３２】
このとき、一列分の複数の第１ＬＥＤチップ２１は、隣り合うチップ同士で、給電用のボンディングワイヤ（図示せず）によってチップ・ツー・チップ（Ｃｈｉｐ  ｔｏ  Ｃｈｉｐ）で接続される。複数の第２ＬＥＤチップ３１も同様である。ボンディングワイヤ及び配線は、例えば、金（Ａｕ）、銀（Ａｇ）又は銅（Ｃｕ）などの金属材料から構成されている。
【００３３】
なお、図１〜図３では図示していないが、基板１０上には、外部装置から複数の第１ＬＥＤチップ２１に電力を供給するための電極と、外部装置から複数の第２ＬＥＤチップ３１に電力を供給するための電極とが、電気的に独立して配置されている。つまり、第１ＬＥＤチップ２１と第２ＬＥＤチップ３１とは、独立して発光制御可能である。これにより、第１発光部２０及び第２発光部３０が独立して駆動される。
【００３４】
第１封止部材２２は、複数の第１ＬＥＤチップ２１を覆う封止部材である。第１封止部材２２は、周方向に沿って並んで配置された複数の第１ＬＥＤチップ２１の一周分を一括して覆っている。つまり、第１封止部材２２は、周方向に沿ったライン（円環）状に形成されている。第１封止部材２２の外形は、第１発光部２０の外形に相当する。第１封止部材２２（第１発光部２０）は、断面形状が半円のドーナツ状に形成されている。
【００３５】
第２封止部材３２は、複数の第２ＬＥＤチップ３１を覆う封止部材である。第２封止部材３２は、周方向に沿って並んで配置された複数の第２ＬＥＤチップ３１の一周分を一括して覆っている。つまり、第２封止部材３２は、周方向に沿ったライン（円環）状に形成されている。第２封止部材３２の外形は、第２発光部３０の外形に相当する。第２封止部材３２（第２発光部３０）は、断面形状が半円のドーナツ状に形成されている。
【００３６】
第１封止部材２２及び第２封止部材３２はそれぞれ、例えば、透光性の樹脂材料を用いて構成されている。透光性の樹脂材料としては、例えば、メチル系のシリコーン樹脂が用いられるが、エポキシ樹脂又はユリア樹脂などが用いられてもよい。
【００３７】
第１封止部材２２は、複数の第１ＬＥＤチップ２１が発する光の波長変換を行う波長変換材を含有している。第２封止部材３２は、複数の第２ＬＥＤチップ３１が発する光の波長変換を行う波長変換材を含有している。
【００３８】
具体的には、第１封止部材２２及び第２封止部材３２はそれぞれ、黄色蛍光体を含有している。本実施の形態では、第１封止部材２２及び第２封止部材３２はそれぞれ、さらに、赤色蛍光体及び緑色蛍光体を含有している。
【００３９】
黄色蛍光体は、例えば、発光ピーク波長が５５０ｎｍ以上５７０ｎｍ以下のＹＡＧ（イットリウム・アルミニウム・ガーネット）系の蛍光体である。緑色蛍光体は、例えば、発光ピーク波長が５１５ｎｍ以上５５０ｎｍ以下の、Ｙ３（Ａｌ，Ｇａ）５Ｏ１２：Ｃｅ３＋蛍光体、又は、Ｌｕ３Ａｌ５Ｏ１２：Ｃｅ３＋蛍光体である。赤色蛍光体は、例えば、発光ピーク波長が６４０ｎｍ以上６７０ｎｍ以下のＣａＡｌＳｉＮ３：Ｅｕ２＋蛍光体（ＣＡＳＮ蛍光体）、又は、（Ｓｒ，Ｃａ）ＡｌＳｉＮ３：Ｅｕ２＋蛍光体（ＳＣＡＳＮ蛍光体）である。
【００４０】
第１ＬＥＤチップ２１又は第２ＬＥＤチップ３１が発する青色光と、各種蛍光体が発する黄色光、赤色光及び緑色光との合成光（混合光）として、白色光が出射される。白色光の光色（色温度）は、封止部材が含有する蛍光体の含有量によって調整されている。
【００４１】
具体的には、第１封止部材２２が含有する赤色蛍光体及び緑色蛍光体の含有量は、第２封止部材３２が含有する赤色蛍光体及び緑色蛍光体の含有量より多い。これにより、第１発光部２０と第２発光部３０とで光色（色温度）を異ならせている。つまり、第１発光部２０は、低色温度の光を出射し、第２発光部３０は、高色温度の光を出射する。
【００４２】
なお、本実施の形態では、第１封止部材２２と第２封止部材３２とで同じ種類の蛍光体を含有し、その含有量を異ならせることで、第１発光部２０及び第２発光部３０の発光色を異ならせたが、これに限らない。第１封止部材２２に含まれる波長変換材の種類及び数と、第２封止部材３２に含まれる波長変換材の種類及び数とは、互いに異なっていてもよい。例えば、第２封止部材３２は、黄色蛍光体と緑色蛍光体とを含有し、赤色蛍光体を含有していなくてもよい。
【００４３】
［光学部材］
光学部材４０は、第１発光部２０及び第２発光部３０を、基板１０との間に挟むように配置された透光性の部材である。光学部材４０は、互いに背向する主面４０ａと主面４０ｂとを有する。主面４０ａは、基板１０に対向する面であり、発光部からの光が入射する面である。主面４０ｂは、基板１０とは反対側の面であり、光学部材４０に入射した光が外部に出射される光出射面である。
【００４４】
光学部材４０は、複数の凹部４１を有する。複数の凹部４１は、光学部材４０の基板１０側の主面４０ａに設けられている。複数の凹部４１は、第１発光部２０及び第２発光部３０の間毎に一対一に対応して設けられている。具体的には、図３に示す断面において、第１発光部２０及び第２発光部３０の間は、７ヶ所存在している。なお、実際には、第１発光部２０及び第２発光部３０は同心円状に設けられているので、第１発光部２０及び第２発光部３０の間は４ヶ所（中央の１ヶ所と左右の３ヶ所）になる。複数の凹部４１は、第１発光部２０及び第２発光部３０の形状に合わせて、同心円状に形成されている。凹部４１は、例えば、断面形状が略半円のドーナツ状の凹部である。
【００４５】
具体的には、凹部４１は、平面視において第１発光部２０及び第２発光部３０の両方に重複し、かつ、第１発光部２０及び第２発光部３０の少なくとも一方の一部と重ならないように設けられている。つまり、凹部４１は、第１発光部２０及び第２発光部３０の両方を完全に覆わない。平面視において、第１発光部２０及び第２発光部３０の少なくとも一方は、凹部４１からはみ出した位置に位置している。
【００４６】
凹部４１は、光学部材４０のレンズ部である。凹部４１の内面４３は、第１発光部２０が発した光及び第２発光部３０が発した光が入射する、所定形状に湾曲した入射面である。具体的には、図３に示すように、凹部４１は、平面視において略円環状に形成され、周方向に直交する断面形状が略半円形状であるが、これに限らない。
【００４７】
図４は、本実施の形態に係る発光装置１の部分拡大断面図である。具体的には、図４は、図３に示す断面において、第１発光部２０及び第２発光部３０を含む部分を拡大して示している。
【００４８】
本実施の形態では、図４に示すように、隣り合う凹部４１の開口端部４２同士は、尖状の突起を形成するように互いに近接して配置されている。開口端部４２（突起）は、平面視において、同心円状に形成されている。本実施の形態では、凹部４１の開口端部４２は、発光部の並び方向（径方向、例えばｘ軸方向）において、第１発光部２０の光軸Ｊ１を中心とする第１範囲Ｒ１内と、第２発光部３０の光軸Ｊ２を中心とする第２範囲内Ｒ２内とに位置している。
【００４９】
図４に示す断面（ｘｚ断面）において、第１ＬＥＤチップ２１の上面の中心点（光軸Ｊ１上の点）から、第１発光部２０の光軸Ｊ１とのなす角度が４５°になるように左右方向のそれぞれに引いた２本の直線Ｐ１ａ及びＰ１ｂと、第１発光部２０（第１封止部材２２）の外側面との交点をＱ１ａ及びＱ１ｂとする。このとき、点Ｑ１ａを通る基板１０に垂直な線Ｓ１ａと、点Ｑ１ｂを通る基板１０に垂直な線Ｓ１ｂとの間が、第１範囲Ｒ１である。
【００５０】
同様に、図４に示す断面（ｘｚ断面）において、第２ＬＥＤチップ３１の上面の中心点（光軸Ｊ２上の点）から、第２発光部３０の光軸Ｊ２とのなす角度が４５°になるように左右方向のそれぞれに引いた２本の直線Ｐ２ａ及びＰ２ｂと、第２発光部３０（第２封止部材３２）の外側面との交点をＱ２ａ及びＱ２ｂとする。このとき、点Ｑ２ａを通る基板１０に垂直な線Ｓ２ａと、点Ｑ２ｂを通る基板１０に垂直な線Ｓ２ｂとの間が、第２範囲Ｒ２である。
【００５１】
本実施の形態では、凹部４１の開口端部４２は、第１ＬＥＤチップ２１の直上方向、及び、第２ＬＥＤチップ３１の直上方向に位置している。例えば、図４に示すように、凹部４１の開口端部４２は、光軸Ｊ１上、及び、光軸Ｊ２上に位置している。
【００５２】
本実施の形態では、凹部４１の幅（断面視における開口端部４２間の距離）は、隣り合う第１発光部２０と第２発光部３０との距離（各々の光軸Ｊ１及びＪ２間の距離）に略等しい。複数の凹部４１は、凹部４１の中心と、第１発光部２０又は第２発光部３０の光軸とが一致した状態から、１／２ピッチずれた位置に配置されている。
【００５３】
なお、図４では、複数の凹部４１が連続して配置されており、開口端部４２の先端が先鋭な形状であるように示しているが、先端は平面又は曲面（丸面）でもよい。開口端部４２の先端が所定の幅を有することで、凹部４１の破損を抑制することができる。なお、開口端部４２の先端の幅は、凹部４１の幅よりも小さく、例えば、ＬＥＤチップの幅よりも小さい。
【００５４】
また、開口端部４２は、第１発光部２０及び第２発光部３０の各々に近接して配置されている。具体的には、開口端部４２から基板１０までの距離をＨとし、第１発光部２０及び第２発光部３０の高さをｈとしたとき、開口端部４２は、Ｈがｈの２倍以下となる範囲に位置している。なお、ここでは、第１発光部２０と第２発光部３０との高さが等しくｈであるとしたが、これに限らない。第１発光部２０と第２発光部３０との高さが異なっている場合、例えば、低い方の高さをｈとすればよい。
【００５５】
［発光部が発する光の経路］
ここで、本実施の形態に係る発光装置１から出射される光の経路について、図５を用いて説明する。図５は、本実施の形態に係る発光装置１から出射される光を模式的に示す断面図である。なお、図５では、光の経路を実線及び破線の矢印で示しており、光学部材４０内での経路を見やすくするため、光学部材４０の断面に対して図４で付した網掛けを示していない。ここでは、基板１０の中央寄りに位置する第１発光部２０及び第２発光部３０からの光について説明する。
【００５６】
本実施の形態では、凹部４１の開口端部４２は、第１発光部２０の光軸Ｊ１上に位置している。このため、第１発光部２０が出射する光は、隣り合う２つの凹部４１の内面４３から光学部材４０に入射する。
【００５７】
例えば、図５に示す光Ｌ１ａは、光軸Ｊ１の左側の凹部４１の内面４３に対して大きな入射角で入射するため、一部が反射し、その反射光が内面４３から光学部材４０に入射する。光Ｌ１ａは、光学部材４０内を進行した後、主面４０ｂから外部に出射される。光Ｌ１ｂも同様に、光軸Ｊ１の右側の凹部４１の内面４３に対して大きな入射角で入射するため、一部が反射し、その反射光が内面４３から光学部材４０に入射する。光Ｌ１ｂは、光学部材４０内を進行した後、主面４０ｂから外部に出射される。
【００５８】
同様に、凹部４１の開口端部４２は、第２発光部３０の光軸Ｊ２上に位置している。このため、第２発光部３０が出射する光は、隣り合う２つの凹部４１の内面４３から光学部材４０に入射する。
【００５９】
例えば、図５に示す光Ｌ２ａは、光軸Ｊ２の左側の凹部４１の内面４３に対して大きな入射角で入射するため、一部が反射し、その反射光が内面４３から光学部材４０に入射する。光Ｌ２ａは、光学部材４０内を進行した後、主面４０ｂから外部に出射される。光Ｌ２ｂも同様に、光軸Ｊ２の右側の凹部４１の内面４３に対して大きな入射角で入射するため、一部が反射し、その反射光が内面４３から光学部材４０に入射する。光Ｌ２ｂは、光学部材４０内を進行した後、主面４０ｂから外部に出射される。
【００６０】
図５に示すように、光Ｌ１ａ及び光Ｌ１ｂは、１つの第１発光部２０から出射された光であるが、左右に大きく分かれて出射されている。同様に、光Ｌ２ａ及び光Ｌ２ｂは、１つの第２発光部３０から出射された光であるが、左右に大きく分かれて出射されている。他の第１発光部２０及び第２発光部３０からの光も同様に、左右に大きく分かれて出射される。また、図５では、内面４３で一度反射されてから光学部材４０に入射する光を示しているが、内面４３に直接入射する光も存在する。このため、複数の第１発光部２０及び複数の第２発光部３０の各々からの光は、互いに混ざりやすくなり、出射面（主面４０ｂ）での色むらを抑制することができる。
【００６１】
［効果など］
以上のように、本実施の形態に係る発光装置１は、基板１０と、基板１０上に並んで配置された、第１光色の第１光を発する第１発光部２０、及び、第１光色とは異なる第２光色の第２光を発する第２発光部３０と、第１発光部２０及び第２発光部３０を、基板１０との間に挟むように配置された透光性の光学部材４０とを備え、光学部材４０は、平面視において第１発光部２０及び第２発光部３０の両方に重複し、かつ、第１発光部２０及び第２発光部３０の少なくとも一方の一部と重ならないように設けられた凹部４１を有する。
【００６２】
これにより、光学部材４０の１つの凹部４１には、隣り合う第１発光部２０及び第２発光部３０の両方からの光が入射する。また、第１発光部２０及び第２発光部３０の少なくとも一方は、この１つの凹部４１に入射しないように（具体的には、隣の凹部４１に向けて）光を出射する。凹部４１の内面４３による反射及び屈折によって、１つの発光部からの光が大きく異なる方向に出射されるので、他の発光部からの光と混ざりやすくなって色むらの発生を抑制することができる。
【００６３】
また、例えば、発光装置１は、第１発光部２０及び第２発光部３０の少なくとも一方を複数備え、第１発光部２０及び第２発光部３０は、基板１０上に交互に並んで配置され、凹部４１は、第１発光部２０及び第２発光部３０の間毎に一対一に対応して複数設けられている。
【００６４】
これにより、発光部の間毎に凹部４１が設けられているので、各発光部からの光は、凹部４１の内面４３による反射及び屈折によって異なる方向に出射されるので、複数の発光部からの光が効果的に分散して主面４０ｂから出射される。したがって、色むらの発生をより抑制することができる。
【００６５】
また、例えば、隣り合う凹部４１の開口端部４２同士は、尖状の突起を形成するように互いに近接して配置されている。
【００６６】
これにより、発光部（基板１０）側から光学部材４０を見た場合に、開口端部４２の面積が小さくなるので、凹部４１の内面４３に入射する光の光量を増やすことができる。したがって、光の取り出し効率を高めることができ、かつ、色むらの発生を抑制することができる。
【００６７】
また、例えば、第１発光部２０と、第２発光部３０と、凹部４１とは、互いに略平行な複数の線に沿って配置されている。例えば、第１発光部２０と、第２発光部３０と、凹部４１は、所定点を共通の中心とする複数の円環に沿って配置されている。
【００６８】
これにより、発光部が略円環状に配置されているので、全方位に対して略均等な光を出射することができる。したがって、色むらの発生、及び、輝度むらの発生を抑制することができる。
【００６９】
また、例えば、第１発光部２０は、基板１０に実装された複数の第１ＬＥＤチップ２１と、複数の第１ＬＥＤチップ２１を覆う第１封止部材２２とを有し、第２発光部３０は、基板１０に実装された複数の第２ＬＥＤチップ３１と、複数の第２ＬＥＤチップ３１を覆う第２封止部材３２とを有する。
【００７０】
これにより、封止部材に含有させる蛍光体などの波長変換材料を異ならせるなどによって、容易に、第１発光部２０と第２発光部３０との発光色を異ならせることができる。また、ＬＥＤチップが封止部材に覆われていることにより、ＬＥＤチップ及びボンディングワイヤなどを塵埃、水分、又は外力などから保護することができる。
【００７１】
また、例えば、凹部４１は、光学部材４０の基板１０側の主面４０ａに設けられ、凹部４１の内面４３は、第１発光部２０が発する光及び第２発光部３０が発する光が入射する、湾曲した入射面である。
【００７２】
これにより、凹部４１が基板１０側の主面４０ａに設けられており、発光部と近い位置に位置している。このため、発光部からの光を効率良く分散させて、色むらの発生を抑制することができる。また、凹部４１が光出射側（すなわち、外部）に露出していないので、外からの力が加わりにくく、凹部４１の破損などの発生を抑制することができる。
【００７３】
また、例えば、凹部４１の開口端部４２は、第１発光部２０及び第２発光部３０の並び方向において、第１発光部２０の光軸Ｊ１を中心とする第１範囲Ｒ１内と、第２発光部３０の光軸Ｊ２を中心とする第２範囲Ｒ２内とに位置している。
【００７４】
これにより、発光部からの光を略半分ずつ分けることができるので、略対称に光を分散させることができる。したがって、色むらの発生を抑制することができる。
【００７５】
また、例えば、凹部４１の開口端部４２は、第１発光部２０の光軸Ｊ１上、及び、第２発光部３０の光軸Ｊ２上に位置している。
【００７６】
これにより、発光部からの光を半分ずつ分けることができるので、対称に光を分散させることができる。したがって、色むらの発生をより抑制することができる。
【００７７】
（実施の形態２）
続いて、実施の形態２について説明する。
【００７８】
実施の形態１では、光学部材４０の基板１０側の主面４０ａに複数の凹部４１が設けられている例について示した。これに対して、本実施の形態に係る発光装置では、光学部材の光出射側の主面に凸部が設けられる。以下では、実施の形態１との相違点を中心に説明し、共通点の説明を省略又は簡略化する。
【００７９】
図６は、本実施の形態に係る発光装置１０１の断面図である。図６に示すように、本実施の形態に係る発光装置１０１は、実施の形態１に係る発光装置１と比較して、光学部材４０の代わりに光学部材１４０を備える点と、新たに透光部材１５０を備える点とが相違する。
【００８０】
図示しないが、本実施の形態では、２つの第１発光部２０及び２つの第２発光部３０は、基板１０の中心を共通の中心とする同心円状に配置されている。２つの第１発光部２０及び２つの第２発光部３０は、基板１０の中心から周縁に向かって１つずつ交互に並んで配置されている。
【００８１】
［光学部材］
光学部材１４０は、第１発光部２０及び第２発光部３０を、基板１０との間に挟むように配置された透光性の部材である。光学部材１４０は、互いに背向する主面１４０ａと主面１４０ｂとを有する。主面１４０ａは、基板１０に対向する面であり、発光部からの光が入射する入射面である。主面１４０ｂは、基板１０とは反対側の面であり、光学部材１４０に入射した光が外部に出射される面である。
【００８２】
光学部材１４０は、複数の凸部１４１を有する。複数の凸部１４１は、光学部材１４０の基板１０と反対側の主面１４０ｂに設けられている。複数の凸部１４１は、第１発光部２０及び第２発光部３０の間毎に一対一に対応して設けられている。具体的には、図６に示す断面において、第１発光部２０及び第２発光部３０の間は、７ヶ所存在している。なお、実際には、第１発光部２０及び第２発光部３０は同心円状に設けられているので、第１発光部２０及び第２発光部３０の間は４ヶ所（中央の１ヶ所と左右の３ヶ所）になる。複数の凸部１４１は、第１発光部２０及び第２発光部３０の形状に合わせて、同心円状に形成されている。凸部１４１は、例えば、断面形状が略半円のドーナツ状の凸部である。
【００８３】
具体的には、凸部１４１は、平面視において第１発光部２０及び第２発光部３０の両方に重複し、かつ、第１発光部２０及び第２発光部３０の少なくとも一方の一部と重ならないように設けられている。つまり、凸部１４１は、第１発光部２０及び第２発光部３０の両方を完全に覆わない。平面視において、第１発光部２０及び第２発光部３０の少なくとも一方は、凸部１４１からはみ出した位置に位置している。
【００８４】
凸部１４１は、光学部材１４０のレンズ部である。凸部１４１の外面１４３は、第１発光部２０が発した光及び第２発光部３０が発した光であって、光学部材１４０を通過した光を出射する、所定形状に湾曲した入射面である。具体的には、図６に示すように、凸部１４１は、平面視において略円環状に形成され、周方向に直交する断面形状が略半円形状であるが、これに限らない。
【００８５】
本実施の形態では、隣り合う凸部１４１の周端部１４２同士は、尖状の溝を形成するように互いに近接して配置されている。周端部１４２（尖状の溝）は、平面視において、同心円状に形成されている。本実施の形態では、凸部１４１の周端部１４２は、発光部の並び方向（径方向、例えばｘ軸方向）において、第１発光部２０の光軸Ｊ１を中心とする第１範囲Ｒ１内と、第２発光部３０の光軸Ｊ２を中心とする第２範囲内Ｒ２内とに位置している。第１範囲Ｒ１及び第２範囲Ｒ２は、図４で示した通りである。
【００８６】
本実施の形態では、凸部１４１の周端部１４２は、第１ＬＥＤチップ２１の直上方向、及び、第２ＬＥＤチップ３１の直上方向に位置している。例えば、凸部１４１の周端部１４２は、光軸Ｊ１上、及び、光軸Ｊ２上に位置している。
【００８７】
本実施の形態では、凸部１４１の幅（断面視における周端部１４２間の距離）は、隣り合う第１発光部２０と第２発光部３０との距離（各々の光軸Ｊ１及びＪ２間の距離）に略等しい。複数の凸部１４１は、凸部１４１の中心と、第１発光部２０又は第２発光部３０の光軸とが一致した状態から、１／２ピッチずれた位置に配置されている。
【００８８】
なお、図６では、複数の凸部１４１が連続して配置されており、周端部１４２の底が先鋭な形状であるように示しているが、底は平面又は曲面（丸面）でもよい。なお、周端部１４２の底の幅は、凸部１４１の幅よりも小さく、例えば、ＬＥＤチップの幅よりも小さい。
【００８９】
［透光部材］
透光部材１５０は、光学部材１４０と、第１発光部２０及び第２発光部３０との間を充填する部材である。透光部材１５０は、例えば、透光性の樹脂材料を用いて形成されている。透光性の樹脂材料としては、例えば、メチル系のシリコーン樹脂が用いられるが、エポキシ樹脂又はユリア樹脂などが用いられてもよい。透光部材１５０の屈折率は、例えば、光学部材１４０の屈折率、並びに、第１封止部材２２及び第２封止部材３２の屈折率に略等しい。これにより、発光部から発せられた光を効率良く光学部材１４０に入射させることができ、光取り出し効率を高めることができる。
【００９０】
［発光部が発する光の経路］
ここで、本実施の形態に係る発光装置１０１から出射される光の経路について、図７を用いて説明する。図７は、本実施の形態に係る発光装置１０１から出射される光を模式的に示す断面図である。なお、図７では、光の経路を実線及び破線の矢印で示しており、光学部材１４０及び透光部材１５０内での経路を見やすくするため、光学部材１４０及び透光部材１５０に対して図６で付した網掛けを示していない。ここでは、基板１０の中央寄りに位置する第１発光部２０及び第２発光部３０からの光について説明する。
【００９１】
本実施の形態では、凸部１４１の周端部１４２は、第１発光部２０の光軸Ｊ１上に位置している。このため、第１発光部２０が出射されて光学部材１４０内を進行した光は、隣り合う２つの凸部１４１の外面１４３から出射される。
【００９２】
例えば、図７に示す光Ｌ１ａは、光軸Ｊ１の左側の凸部１４１の外面１４３に対して大きな入射角で入射するため、一部が反射し、その反射光が外面１４３から外部に出射される。光Ｌ１ｂも同様に、光軸Ｊ１の右側の凸部１４１の外面１４３に対して大きな入射角で入射するため、一部が反射し、その反射光が外面１４３から出射される。
【００９３】
同様に、凸部１４１の周端部１４２は、第２発光部３０の光軸Ｊ２上に位置している。このため、第２発光部３０が出射されて光学部材１４０内を進行した光は、隣り合う２つの凸部１４１の外面１４３から出射される。
【００９４】
例えば、図７に示す光Ｌ２ａは、光軸Ｊ２の左側の凸部１４１の外面１４３に対して大きな入射角で入射するため、一部が反射し、その反射光が外面１４３から出射される。光Ｌ２ｂも同様に、光軸Ｊ２の右側の凸部１４１の外面１４３に対して大きな入射角で入射するため、一部が反射し、その反射光が外面１４３から出射される。
【００９５】
図７に示すように、光Ｌ１ａ及び光Ｌ１ｂは、１つの第１発光部２０から出射された光であるが、左右に大きく分かれて出射されている。同様に、光Ｌ２ａ及び光Ｌ２ｂは、１つの第２発光部３０から出射された光であるが、左右に大きく分かれて出射されている。他の第１発光部２０及び第２発光部３０からの光も同様に、左右に大きく分かれて出射される。また、図７では、外面１４３で一度反射されてから外部に出射する光を示しているが、外面１４３から直接出射する光も存在する。このため、複数の第１発光部２０及び複数の第２発光部３０の各々からの光は、互いに混ざりやすくなり、色むらを抑制することができる。
【００９６】
なお、本実施の形態では、光学部材１４０と第１発光部２０及び第２発光部３０との間に、透光部材１５０が設けられている。このため、第１発光部２０及び第２発光部３０の各々から出射された光は、光学部材１４０の主面１４０ａでほとんど屈折及び反射されることなく、凸部１４１の外面１４３まで到達する。
【００９７】
［効果など］
以上のように、本実施の形態に係る発光装置１０１では、例えば、凸部１４１は、光学部材１４０の、基板１０と反対側の面である主面１４０ｂに設けられ、凸部１４１の外面１４３は、光学部材１４０を透過した光を出射する、所定形状に湾曲した出射面である。
【００９８】
これにより、複数の凸部１４１によって、発光部からの光を効率良く分散させて、色むらの発生を抑制することができる。また、光学部材１４０には、先鋭な突起などが設けられていないので、外部からの力による破損などの発生を抑制することができる。
【００９９】
また、例えば、発光装置１０１は、光学部材１４０と、第１発光部２０及び第２発光部３０との間を充填する透光部材１５０とを備える。
【０１００】
これにより、透光部材１５０の入射面（主面１４０ａ）での光の屈折及び反射を低減し、光の取り出し効率を高めることができる。
【０１０１】
（変形例）
ここで、上記の実施の形態１及び２の変形例について説明する。
【０１０２】
実施の形態１及び２では、複数の第１発光部２０、複数の第２発光部３０、複数の凹部４１又は複数の凸部１４１が同心円状に形成されている例ついて示した。これに対して、本変形例に係る発光装置では、これらの平面視形状が相違する。
【０１０３】
図８は、本変形例に係る発光装置２０１の平面図である。図８では、図２と同様に、光学部材２４０の全体を示さずに、光学部材２４０の凹部２４１の開口端部（尖端部）２４２の位置を破線で示している。隣り合う２本の破線の間が凹部２４１に相当する。
【０１０４】
本変形例に係る発光装置２０１は、実施の形態１に係る発光装置１と比較して、第１発光部２０、第２発光部３０及び光学部材４０の代わりに、第１発光部２２０、第２発光部２３０及び光学部材２４０を備える点が相違する。本変形例では、第１発光部２２０、第２発光部２３０及び光学部材２４０の凹部２４１（開口端部２４２）の平面視形状が、実施の形態１に係る第１発光部２０、第２発光部３０及び光学部材４０の凹部４１（開口端部２４２）と相違している。
【０１０５】
具体的には、図８に示すように、第１発光部２２０、第２発光部２３０及び凹部２４１（開口端部２４２）はそれぞれ、所定点を共通の中心とする複数の多角形環に沿って配置されている。所定点は、例えば、基板１０の中心である。具体的には、第１発光部２２０、第２発光部２３０及び凹部２４１は、同心多角形状に形成されている。
【０１０６】
本変形例では、多角形は、略正方形である。すなわち、第１発光部２２０、第２発光部２３０及び凹部２４１はそれぞれ、略正方形の辺に沿って環状に形成されている。なお、多角形は、略正六角形又は略正八角形などでもよい。また、多角形は、略長方形でもよい。
【０１０７】
本変形例に係る発光装置２０１では、図８に示すＩＩＩ−ＩＩＩ線における断面形状は、図４に示す発光装置１の断面形状と略同じである。すなわち、複数の凹部２４１は、第１発光部２２０及び第２発光部２３０の間毎に一対一に対応して設けられている。開口端部２４２は、例えば、第１発光部２２０の光軸Ｊ１上と第２発光部２３０の光軸Ｊ２上とに位置している。
【０１０８】
以上のように、本変形例に係る発光装置２０１では、第１発光部２０と、第２発光部３０と、凹部２４１とは、所定点を共通の中心とする複数の多角形環に沿って配置されている。
【０１０９】
これにより、実施の形態１と同様に、色むらの発生を抑制することができる。また、第１発光部２２０及び第２発光部２３０が略多角形環状に配置されているので、ＬＥＤチップを辺毎に同じ姿勢で実装することができる。このため、例えば、円環状に実装する場合に比べて、ＬＥＤチップの実装方向を変更する回数を減らすことができる。したがって、ＬＥＤチップの配置及び姿勢の誤りの発生を少なくし、歩留まりが向上し、信頼性の高い発光装置２０１を実現することができる。
【０１１０】
（実施の形態３）
次に、実施の形態３に係る照明装置について、図９及び図１０を用いて説明する。図９は、本実施の形態に係る照明装置３００の断面図である。図１０は、本実施の形態に係る照明装置３００及びその周辺部材の外観斜視図である。
【０１１１】
図９及び図１０に示すように、本実施の形態に係る照明装置３００は、例えば、住宅などの天井に埋込配設されることにより、下方（床面又は壁など）に向けて光を出射するダウンライトなどの埋込型照明装置である。
【０１１２】
照明装置３００は、発光装置１を備える。照明装置３００は、さらに、基部３１０と枠体部３２０とが組み合わされることで構成される略有底筒状の器具本体と、当該器具本体に配置された、反射板３３０及び透光パネル３４０とを備える。
【０１１３】
基部３１０は、発光装置１が取り付けられる取付台である。また、基部３１０は、発光装置１が発生する熱を放散するヒートシンク（放熱体）としても機能する。基部３１０は、金属材料を用いて略有底円筒状に形成されており、例えば、アルミダイカスト製である。
【０１１４】
基部３１０の上部（天井側部分）には、上方に向かって突出する複数の放熱フィン３１１が一方向に沿って互いに一定の間隔を空けて設けられている。これにより、発光装置１が発生する熱を効率良く放散させることができる。
【０１１５】
枠体部３２０は、内面に反射面を有する略円筒状（漏斗状）の補助反射部材３２１と、補助反射部材３２１が取り付けられる枠体本体部３２２とを備える。補助反射部材３２１は、金属材料を用いて成形されており、例えば、アルミニウム合金などを絞り加工又はプレス成形することによって形成されている。枠体部３２０は、枠体本体部３２２が基部３１０に、取付ネジ（図示せず）などによって取り付けられることにより固定されている。
【０１１６】
反射板３３０は、内面反射機能を有する略円筒状（漏斗状）の反射部材である。反射板３３０は、例えばアルミニウムなどの金属材料を用いて形成されている。あるいは、反射板３３０は、硬質の白色樹脂材料を用いて形成されていてもよい。
【０１１７】
透光パネル３４０は、光拡散性及び透光性を有する透光部材である。透光パネル３４０は、反射板３３０と枠体部３２０との間に配置された平板であり、反射板３３０に取り付けられている。透光パネル３４０は、例えば、アクリル（ＰＭＭＡ）及びポリカーボネート（ＰＣ）などの透明樹脂材料を用いて円板状に形成されている。
【０１１８】
なお、照明装置３００は、透光パネル３４０を備えなくてもよい。透光パネル３４０を備えない場合には、照明装置３００から出射される光の光束を向上させることができる。
【０１１９】
また、図１０に示すように、照明装置３００は、発光装置１に、発光装置１を点灯させるための電力を供給する点灯装置３５０と、商用電源などの外部電源からの交流電力を点灯装置３５０に中継する端子台３６０とを備える。点灯装置３５０は、具体的には、端子台３６０から中継される交流電力を直流電力に変換して、変換した直流電力を発光装置１に供給する。
【０１２０】
点灯装置３５０及び端子台３６０は、器具本体とは別体に設けられた取付板３７０に固定される。取付板３７０は、金属材料からなる矩形板状の部材を折り曲げて形成されておいる。取付板３７０の長手方向の一端部の下面に点灯装置３５０が固定され、他端部の下面に端子台３６０が固定される。取付板３７０は、器具本体の基部３１０の上部に固定された天板３８０と互いに連結される。
【０１２１】
以上のように、本実施の形態に係る照明装置３００は、例えば、発光装置１と、発光装置１に、発光装置１を点灯させるための電力を供給する点灯装置３５０とを備える。
【０１２２】
これにより、照明装置３００が発光装置１を備えるので、発光効率の低下を抑制し、色むら及び輝度むらの発生を抑制することができる。
【０１２３】
なお、本実施の形態では、照明装置３００は、発光装置１の代わりに、実施の形態２に係る発光装置１０１又は変形例に係る発光装置２０１のいずれかを備えてもよい。この場合も、実施の形態２及び変形例と同様に、色むらの発生を抑制することができる。
【０１２４】
また、本実施の形態では、照明装置３００としてダウンライトの一例を示したが、ダウンライトの構成は図示した例に限らない。また、本発明は、ダウンライトに限らず、スポットライト、シーリングライトなどの他の照明装置として実現されてもよい。
【０１２５】
（その他）
以上、本発明に係る発光装置及び照明装置について、上記の実施の形態及びその変形例に基づいて説明したが、本発明は、上記の実施の形態に限定されるものではない。
【０１２６】
例えば、上記の実施の形態では、第１発光部２０が低色温度の光を出射し、第２発光部３０が高色温度の光を出射する例について示したが、これに限らない。第１発光部２０が高色温度の光を出射し、第２発光部３０が低色温度の光を出射してもよい。
【０１２７】
また、例えば、上記の実施の形態では、第１封止部材２２と第２封止部材３２とにおいて、含有する蛍光体の種類及び含有量を異ならせることで、第１発光部２０及び第２発光部３０の光色を異ならせたが、これに限らない。例えば、第１ＬＥＤチップ２１及び第２ＬＥＤチップ３１の種類又は個数を異ならせてもよい。例えば、第１発光部２０が備える複数の第１ＬＥＤチップ２１には、青色ＬＥＤチップだけでなく、赤色ＬＥＤチップが含まれてもよい。
【０１２８】
また、例えば、上記の実施の形態では、第１発光部２０と第２発光部３０とが隙間を空けて配置される例について示したが、第１発光部２０と第２発光部３０とは接触していてもよい。この場合、例えば、第１発光部２０の幅（径方向の長さ）と第２発光部３０の幅とが等しいとき、凹部４１又は凸部１４１の幅も等しくすることができる。
【０１２９】
また、例えば、上記の実施の形態では、第１発光部２０、第２発光部３０及び凹部４１又は凸部１４１の各々は、環状である例について示したが、例えば、直線状に配置されていてもよい。
【０１３０】
この場合、一方向に沿ってＬＥＤチップを実装することができるので、ＬＥＤチップの実装を容易に行うことができる。具体的には、全てのＬＥＤチップを同じ姿勢（向き）で実装することができるので、実装されたＬＥＤチップの姿勢（向き）の誤りの発生を少なくすることができる。また、樹脂材料をディスペンサなどによってライン状に塗布することで封止部材を形成する場合、樹脂材料の塗布を容易に行うことができる。したがって、均一な形状の封止部材を形成しやすくなる。また、光学部材の位置合わせも容易に行うことができる。よって、歩留まりが向上し、信頼性の高い発光装置を実現することができる。
【０１３１】
なお、第１発光部２０、第２発光部３０及び凹部４１又は凸部１４１の各々は、例えばドット状に配置されていてもよい。
【０１３２】
また、例えば、上記の実施の形態では、発光装置が備える発光素子の一例として、ＬＥＤチップを示したが、これに限らない。発光素子は、半導体レーザなどの半導体発光素子、又は、有機ＥＬ（Ｅｌｅｃｔｒｏｌｕｍｉｎｅｓｃｅｎｃｅ）若しくは無機ＥＬなどの他の固体発光素子であってもよい。
【０１３３】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１３４】
１、１０１、２０１  発光装置
１０  基板
２０、２２０  第１発光部
２１  第１ＬＥＤチップ（第１発光素子）
２２  第１封止部材
３０、２３０  第２発光部
３１  第２ＬＥＤチップ（第２発光素子）
３２  第２封止部材
４０、１４０、２４０  光学部材
４１、２４１  凹部
４２、２４２  開口端部
４３  内面
１４１  凸部
１４２  周端部
１４３  外面
１５０  透光部材
３００  照明装置
３５０  点灯装置
【図１】
2018120961.tif 000003
【図２】
2018120961.tif 000004
【図３】
2018120961.tif 000005
【図４】
2018120961.tif 000006
【図５】
2018120961.tif 000007
【図６】
2018120961.tif 000008
【図７】
2018120961.tif 000009
【図８】
2018120961.tif 000010
【図９】
2018120961.tif 000011
【図１０】
2018120961.tif 000012